(57)【特許請求の範囲】
【請求項１】
上方に開口部を有する洗浄槽と、この洗浄槽を前後方向に移動可能に支持する外箱と、この外箱内に前後および上下方向に移動可能にリンク機構を介して支持した内蓋と、前記外箱に設け前記リンク機構の回転支点を構成する第１の軸部と、前記内蓋に設け前記リンク機構の回転軌跡の一部を構成する第２の軸部とを備え、前記リンク機構には、前記洗浄槽を外箱に収納した状態で前記洗浄槽に対して略下方方向から当接する当て部を一体に設けた食器洗浄機。
【請求項２】
リンク機構の当て部を左右方向の移動を規制した状態で洗浄槽に係止した請求項１記載の食器洗浄機。
【請求項３】
リンク機構の当て部に、略円弧形状または略傾斜形状の洗浄槽に対するガイド部を設けた請求項１または２記載の食器洗浄機。
【発明の詳細な説明】
【０００１】
【発明の属する技術分野】
本発明は、洗浄槽を前後方向に移動して外箱内に収容したとき、内蓋により洗浄槽の上方の開口部を閉塞する食器洗浄機に関する。
【０００２】
【従来の技術】
近年、洗浄槽内で回転する洗浄ノズルから噴射される洗浄水によって食器かごに収容した食器を洗浄する食器洗浄機が主流となっている。
【０００３】
従来、この種の食器洗浄機は図４に示すように構成していた。以下、その構成について説明する。
【０００４】
図４に示すように、外箱１は前方に開口部を有するとともに、レール２を介して洗浄槽３を前後方向に移動可能に支持している。洗浄槽３の前方には扉４を取り付け、外箱１の開口部を開閉している。洗浄槽３は、上方に開口部５を有し、この開口部５を閉塞する内蓋６を設けている。洗浄槽３の開口部５を閉塞する内蓋６は洗浄槽３の上辺に対向する位置にパッキング７を設けている。
【０００５】
内蓋６の背面に下方方向への突出部８を設けるとともに、洗浄槽３の背面に押圧部９を設け、洗浄槽３を外箱１内に収容したとき押圧部９により突出部８を後方へ押すように配置している。内蓋６は複数のリンク機構１０を介して外箱１の内部に可動式に設けている。複数のリンク機構１０は回転中心を長穴とし、外箱１に対し可動式としている。
【０００６】
押圧部９で突出部８を後方へ押すことによって、内蓋６がリンク機構１０の回動により下降し、洗浄槽３の動きと連動して内蓋６を動かし、洗浄槽３の開口部５を覆うよう構成している。また、洗浄槽３を外箱１に収納した状態でリンク機構１０のローラー１１は、洗浄槽３の両側面に設けた突起１２の下面に当接するよう構成している。
【０００７】
洗浄槽３内には洗浄水を噴射する洗浄ノズル１３を回転自在に設けるとともに、食器１４を収容する食器かご１５を配置している。洗浄槽３内の洗浄水はヒータ１６によって温水化され、洗浄ポンプ１７により排水口１８から吸い込まれ、洗浄ノズル１３に圧送される。洗浄ノズル１３より勢いよく噴射される洗浄水によって、食器かご１５に収容された食器１４を洗浄するように構成している。
【０００８】
上記構成において動作を説明すると、利用者が洗浄槽３を前方に引き出し、食器１４を食器かご１５に配置し、洗浄槽３に収納して洗剤を入れた後、洗浄槽３を外箱１内に収容すると、押圧部９により内蓋６に設けた突出部８を後方へ押すことにより、リンク機構１０が回動して内蓋６が下降し、パッキング７を介して洗浄槽３の開口部５を閉塞する。その際、リンク機構１０のローラー１１は洗浄槽３の両側面に設けた突起１２の下面を下方より当接し、リンク機構１０を押し下げつつ回動させることにより、内蓋６を引き下げ、洗浄槽３と内蓋６の間隔を一定に保持する。
【０００９】
この状態で運転を開始すると、制御装置（図示せず）によりヒータ１６、洗浄ポンプ１７、排水ポンプ（図示せず）等の運転を制御し、食器かご１５に収納した食器１４を洗浄、すすぎ、乾燥する。
【００１０】
【発明が解決しようとする課題】
このような従来の構成では、リンク機構１０のローラー１１まわりの構造が複雑で、部品点数が多くなるため、部品のばらつきのために信頼性の確保が困難であり、また、高価な部品構成になってしまうという問題があった。
【００１１】
本発明は上記課題を解決するもので、リンク機構と当て部を一体に構成することにより、リンク機構をより簡素に形成できるようにし、簡潔かつ廉価で信頼性の高い食器洗浄機を提供することを目的としている。
【００１２】
【課題を解決するための手段】
本発明は上記目的を達成するために、上方に開口部を有する洗浄槽を外箱内に前後方向に移動可能に支持し、この外箱内に前後および上下方向に移動可能にリンク機構を介して内蓋を支持し、リンク機構の回転支点を構成する第１の軸部を外箱に設け、リンク機構の回転軌跡の一部を構成する第２の軸部を内蓋に設け、リンク機構には、洗浄槽を外箱に収納した状態で洗浄槽に対して略下方方向から当接する当て部を一体に設けたものである。
【００１３】
これにより、リンク機構をより簡素に形成することができ、簡潔かつ廉価で信頼性の高い食器洗浄機を提供することができる。
【００１４】
【発明の実施の形態】
本発明の請求項１に記載の発明は、上方に開口部を有する洗浄槽と、この洗浄槽を前後方向に移動可能に支持する外箱と、この外箱内に前後および上下方向に移動可能にリンク機構を介して支持した内蓋と、前記外箱に設け前記リンク機構の回転支点を構成する第１の軸部と、前記内蓋に設け前記リンク機構の回転軌跡の一部を構成する第２の軸部とを備え、前記リンク機構には、前記洗浄槽を外箱に収納した状態で前記洗浄槽に対して略下方方向から当接する当て部を一体に設けたものであり、リンク機構を構成する部品点数を低減することができるため、廉価な構成を実現できるとともに、部品ばらつきによる信頼性の低下を抑えることができるため、簡潔かつ廉価で信頼性の高い食器洗浄機を提供することができる。
【００１５】
請求項２に記載の発明は、上記請求項１に記載の発明において、リンク機構の当て部を左右方向の移動を規制した状態で洗浄槽に係止したものであり、洗浄槽と当て部の相互位置関係が左右方向へずれるのを防止でき、内蓋が洗浄槽の開口部を閉塞する際の位置関係を適切に保つことによって洗浄槽と内蓋との間の閉塞性をより確実に保持することができ、簡潔かつ廉価で信頼性の高い食器洗浄機を提供することができる。
【００１６】
請求項３に記載の発明は、上記請求項１または２に記載の発明において、リンク機構の当て部に、略円弧形状または略傾斜形状の洗浄槽に対するガイド部を設けたものであり、外箱に洗浄槽を収納する際、洗浄槽に設けた突起が傷つくのを防止できるとともに、当て部と洗浄槽との摩擦力を低減することができ、スムーズに扉を開閉できるため、使い勝手がよく、信頼性の高い食器洗浄機を提供することができる。
【００１７】
【実施例】
以下、本発明の一実施例について、図面を参照しながら説明する。なお、従来例と同じ構成のものは同一符号を付して説明を省略する。
【００１８】
図１に示すように、洗浄槽３は、その左右両外面にレール２を設け、外箱１に対して前後方向に移動可能としている。外箱１内の上方には４個のリンク機構１９を介して内蓋６を取り付けている。内蓋６の下側にはパッキング７を装着している。内蓋６は弾性体２０によって外箱１と連結しており、上方前方に付勢されている。また、洗浄槽３は後方中央に押圧部９を有し、その押圧部９は内蓋６の後方の下側に設けた突出部８と当接可能な位置関係にあるよう構成している。
【００１９】
リンク機構１９は、図２に示すように、前後左右に各１個ずつ設けてあり、その回転中心軸側の穴部２１は長穴となっていて、外箱１に設けた第１の軸部２２に回転自在に嵌合している。リンク機構１９の回転側の穴部２３は、内蓋６に設けた第２の軸部２４に嵌合することで、内蓋６が第１の軸部２２を中心に回転軌跡を移動可能としている。また、リンク機構１９には当て部２５を設けていて、洗浄槽３を外箱１に収納したとき、洗浄槽３の両側面の突起２６に設けた突出部２７に当接するように構成している。
【００２０】
また、リンク機構１９は、図２および図３に示すように、板金で構成していて、その一部を円弧状に曲げることにより、当て部２５に、洗浄槽３の両側面の突起２６に対する略円弧形状のガイド部２８を形成している。また、リンク機構１９の当て部２５は、洗浄槽３を外箱１に収納した状態で、洗浄槽３の突出部２７の下面に設けた溝２９に嵌合し、当て部２５と溝２９の左右の相互位置関係を維持するように構成している。
【００２１】
上記構成において動作を説明すると、洗浄槽３を外箱１に収納したとき、洗浄槽３の後方に設けた押圧部９により、内蓋６の後方の下側に設けた突出部８を押し、弾性体２０のばね力に抗して内蓋６が下降する。このとき、突出部２７の溝２９の下面が、リンク機構１９の当て部２５の上面に当接し、リンク機構１９を引き下げ、内蓋６は洗浄槽３に対して所定の高さの位置まで下降させることができる。
【００２２】
すなわち、洗浄槽３の経時変化により洗浄槽３の片側が落ち込んだとしても、突出部２７によって、リンク機構１９を引き下げることにより、洗浄槽３と内蓋６との上下方向の間隔を一定に維持できて、シール性を保持することができる。
【００２３】
また、洗浄槽３が左右にずれようとしても、リンク機構１９の当て部２５と溝２９が嵌合しているため、洗浄槽３と内蓋６との左右の相互位置を規制することができ、蓋６の下方のパッキング７と洗浄槽３の左右方向の位置関係を適切に保つことができる。したがって、洗浄水や蒸気が漏れるのを防止することができ、高い信頼性を確保することができる。
【００２４】
また、当て部２５は円弧状のガイド部を設けているので、外箱１に洗浄槽３を収納する際、突出部２７が傷つくのを防止できるとともに、突出部２７が当て部２５に当接する際の摩擦力を低減することができ、スムーズな操作感にすることができる。
【００２５】
また、リンク機構１９を当て部２５と一体に構成しているため、部品のばらつきを抑えることができ、信頼性の確保が容易で、構成を簡潔かつ廉価にすることができる。
【００２６】
なお、本実施例では、リンク機構１９の当て部２５に、略円弧形状のガイド部２８を設けているが、ガイド部は略傾斜形状であってもよく、同様の作用効果を得ることができる。
【００２７】
【発明の効果】
以上のように本発明の請求項１に記載の発明によれば、上方に開口部を有する洗浄槽と、この洗浄槽を前後方向に移動可能に支持する外箱と、この外箱内に前後および上下方向に移動可能にリンク機構を介して支持した内蓋と、前記外箱に設け前記リンク機構の回転支点を構成する第１の軸部と、前記内蓋に設け前記リンク機構の回転軌跡の一部を構成する第２の軸部とを備え、前記リンク機構には、前記洗浄槽を外箱に収納した状態で前記洗浄槽に対して略下方方向から当接する当て部を一体に設けたから、リンク機構を構成する部品点数を低減することができるとともに、内蓋と洗浄槽との間隔を一定に保つことができて、シール性を確保することができる。すなわち、廉価な構成を実現できるとともに、部品ばらつきによる信頼性の低下を抑えることができ、リンク機構の当て部は複雑な構成でなく、簡潔かつ廉価で信頼性の高い食器洗浄機を提供することができる。
【００２８】
また、請求項２に記載の発明によれば、リンク機構の当て部を左右方向の移動を規制した状態で洗浄槽に係止したから、洗浄槽と当て部の相互位置関係が左右方向へずれるのを防止でき、内蓋が洗浄槽の開口部を閉塞する際の位置関係を適切に保つことによって洗浄槽と内蓋との間の閉塞性をより確実に保持することができ、簡潔かつ廉価で信頼性の高い食器洗浄機を提供することができる。
【００２９】
また、請求項３に記載の発明によれば、リンク機構の当て部に、略円弧形状または略傾斜形状の洗浄槽に対するガイド部を設けたから、外箱に洗浄槽を収納する際、洗浄槽に設けた突起が傷つくのを防止できるとともに、当て部と洗浄槽との摩擦力を低減することができ、スムーズに扉を開閉できるため、使い勝手がよく、信頼性の高い食器洗浄機を提供することができる。
【図面の簡単な説明】
【図１】本発明の一実施例の食器洗浄機の縦断面図
【図２】同食器洗浄機の要部拡大側断面図
【図３】同食器洗浄機の要部拡大断面図
【図４】従来の食器洗浄機の縦断面図
【符号の説明】
１  外箱
３  洗浄槽
５  開口部
６  内蓋
１９  リンク機構
２２  第１の軸部
２４  第２の軸部
２５  当て部
【図１】
0004474819.tif 000002
【図２】
0004474819.tif 000003
【図３】
0004474819.tif 000004
【図４】
0004474819.tif 000005